(57)【要約】【課題】本発明は、生体情報測定器収納ケースに関するもので、生体情報測定器を生体情報測定器収納ケースから容易に取り出せるようにすることを目的とする。【解決手段】そしてこの目的を達成するために本発明は、上面が開口した容器３と、この容器３の開口を覆うカバー４と、前記容器３とカバー４で形成される収納空間に収納される測定器２と、を備え、前記容器３の底部に、前記測定器２を保持する一対の保持板１２を立設し、この一対の保持板１２の対向面には、前記測定器２の側面を挟持させる保持突起１３を設け、この保持突起１３は、水平方向に対して傾斜した細長形状とした。【選択図】図３
2015114256.tif 000002
【特許請求の範囲】
【請求項１】
上面が開口した容器と、この容器の開口を覆うカバーと、前記容器とカバーで形成される収納空間に収納される生体情報測定器と、を備え、
前記容器の底部に、前記生体情報測定器を挟持する一対の保持板を立設し、
この一対の保持板の対向面には、前記生体情報測定器の側面を挟持させる保持突起を設け、この保持突起は、水平方向に対して傾斜した細長形状とした生体情報測定器収納ケース。
【請求項２】
前記容器と前記カバーをほぼ長方形状とし、前記一対の保持板はこの長方形状の容器の長手方向において対向させた請求項１に記載の生体情報測定器収納ケース。
【請求項３】
前記保持板に設けた前記保持突起の傾斜下端側と、その近傍の前記容器の長辺との間には、この保持板で保持された前記生体情報測定器を指先で取り出すための指先挿入空間を設けた請求項２に記載の生体情報測定器収納ケース。
【請求項４】
前記保持板に設けた前記保持突起の傾斜下端側は、その近傍の前記容器の長辺の高さよりも低くした請求項３に記載の生体情報測定器収納ケース。
【請求項５】
前記容器の底部で、前記一対の保持板の内方側には、前記生体情報測定器の底部を支える支柱を設けた請求項１から４のいずれか一つに記載の生体情報測定器収納ケース。
【請求項６】
前記容器の長辺で、前記保持板に挟持される前記生体情報測定器に対向する部分には、切欠部を設けた請求項２から５のいずれか一つに記載の生体情報測定器収納ケース。
【請求項７】
前記生体情報測定器は、長方形状の本体ケースと、この本体ケースの一端側に設けたセンサ装着部と、前記本体ケースの上面に設けた表示部と、を備え、
前記本体ケースの側面部には、前記保持板の前記保持突起が係合する係合溝を設けた請求項１から６のいずれか一つに記載の生体情報測定器収納ケース。
【発明の詳細な説明】
【技術分野】
【０００１】
本発明は、たとえば、血液中から血糖値などの生体情報を測定する生体情報測定器を収納する生体情報測定器収納ケースに関するものである。
【背景技術】
【０００２】
従来のこの種、測定器収納ケースは、上面が開口した容器と、この容器の開口を覆うカバーとを備え、前記容器内に生体情報測定器が収納される構成となっていた。
すなわち、生体情報測定器は、使用後に測定器収納ケースの凹部に収納され、この状態で、次の測定場所まで持ち運ばれる構成となっていた（例えば下記特許文献１）。
【先行技術文献】
【特許文献】
【０００３】
【特許文献１】特開２００８−２２８８８５号公報
【発明の概要】
【発明が解決しようとする課題】
【０００４】
従来の測定器収納ケースにおける課題は、生体情報測定器が生体情報測定器収納ケースから取り出しづらいということであった。
つまり、生体情報測定器は生体情報測定器収納ケースの凹部に収納され、次の測定場所まで持ち運ばれる。この時、生体情報測定器が振動するのを防止するため、測定部の周囲を生体情報測定器収納ケースの凹部内面に当接させている。
【０００５】
そして、生体情報測定器の使用時に、この生体情報測定器を生体情報測定器収納ケースの凹部から取り出すが、周囲が凹部内面に当接した生体情報測定器を取り出すには、思った以上に力が必要であり、結果として取り出しづらい時があった。
そこで本発明は、生体情報測定器を生体情報測定器収納ケースから容易に取り出すことができるようにすることを目的とする。
【課題を解決するための手段】
【０００６】
そして、この目的を達成するために本発明は、上面が開口した容器と、この容器の開口を覆うカバーと、前記容器とカバーで形成される収納空間に収納される生体情報測定器と、を備え、前記容器の底部に、前記生体情報測定器を保持する一対の保持板を立設し、この一対の保持板の対向面には、前記生体情報測定器の側面を挟持させる保持突起を設け、この保持突起は、水平方向に対して傾斜した細長形状とし、これにより所期の目的を達成するものである。
【発明の効果】
【０００７】
以上のように本発明は、上面が開口した容器と、この容器の開口を覆うカバーと、前記容器とカバーで形成される収納空間に収納される生体情報測定器と、を備え、前記容器の底部に、前記生体情報測定器を保持する一対の保持板を立設し、この一対の保持板の対向面には、前記生体情報測定器の側面を挟持させる保持突起を設け、この保持突起は、水平方向に対して傾斜した細長形状としたので、生体情報測定器を生体情報測定器収納ケースから容易に取り出すことができる。
【０００８】
すなわち、本発明においては、一対の保持板の対向面には、生体情報測定器の側面を挟持させる保持突起を設け、この保持突起は、水平方向に対して傾斜した細長形状としたものである。
このため、細長形状の保持突起は、生体情報測定器を線状で保持した状態となり、その結果、生体情報測定器は容器とカバーで形成される収納空間に安定した状態で保持される。
【０００９】
また、細長形状の保持突起は、生体情報測定器を線状で保持した状態となっているが、この保持突起は、水平方向に対して傾斜した細長形状としたものである。したがって、この状態から、生体情報測定器を持ち上げると、持ち上げ力が線状の保持状態の下側の端部に集中し、この状態から、さらに生体情報測定器を持ち上げると、線状の保持状態を、下側の端部から上側の端部に向けて順々に解除することができる。つまり、線状の保持状態を一度に解除するのではなく順々に解除できるので、小さな力で保持状態を解除することができる。
【００１０】
その結果として、上記安定保持された測定器を、測定器収納ケースから容易に取り出すことができる。
【図面の簡単な説明】
【００１１】
【図１】本発明の一実施形態に係る測定器収納ケースの斜視図
【図２】同、測定器収納ケースに収納される測定器の斜視図
【図３】同、測定器収納ケースの斜視図
【図４】同、測定器収納ケースの断面図
【図５】同、測定器収納ケースの断面図
【図６】同、要部拡大図
【発明を実施するための形態】
【００１２】
以下本発明の一実施形態を、添付図面を用いて説明する。
（実施の形態１）
図１において、１は、たとえば血糖値を測定する測定器２（生体情報測定器の一例）を収納する測定器収納ケースである。
ほぼ長方形状に形成した測定器収納ケース１は、上面が開口した容器３と、この容器３の開口を開閉自在に覆うカバー４と、を備えている。カバー４は、容器３の後端側に接続部５によって接続され、接続部５および容器３と共に合成樹脂により一体成形される。
【００１３】
容器３をカバー４が覆うことで形成される収納空間には、測定器２、センサ６を収納するセンサ収納容器７、穿刺具８が収納され、この収納状態で測定場所まで運ばれる。
図２は、測定器２の斜視図である。
測定器２は、長方形状の本体ケース９と、この本体ケース９の前方側に設けられたセンサ装着部１０と、このセンサ装着部１０に電気的に接続された測定部（図示せず）と、この測定部に接続された制御部（図示せず）と、を備えている。また、本体ケース９の上面には、測定された血糖値などを表示する表示部１１を備えている。そして、センサ装着部１０に図１のセンサ６が挿入され、点着部６ａに血液が点着されると、測定部（図示せず）により血糖値が測定され、その結果が表示部１１に表示される。
【００１４】
本実施形態においては、図１、図３に示すように、容器３の底部に、測定器２を挟持する一対の保持板１２を立設している。この一対の保持板１２は四角形状で、その対向面には、測定器２の側面を挟持させる直線状の保持突起１３を設けている。
また、図２に示すように、測定器２の本体ケース９の側面部には、保持板１２の保持突起１３が係合する係合溝１４を設けている。この係合溝１４は、本体ケース９の側面部で、その中央位置の全周に設けている。
【００１５】
このため、図３に示す容器３の保持板１２に、測定器２が上方から挿入されると、測定器２によって保持板１２は一度外方へと開かれる。その後、図１に示すように、保持板１２の弾性復帰により、保持突起１３が測定器２の係合溝１４と係合して測定器２を挟持する。つまり、細長形状の保持突起１３は、測定器２を線状で保持した状態となる。測定器２は、上下方向、および保持板１２の対向方向に動くことはない。
【００１６】
その結果、容器３とカバー４で形成される収納空間に、測定器２は安定した状態で保持されることとなる。
なおこの状態で、測定器２を用いて血糖値が測定できるものとなっている。つまり、容器３とカバー４をほぼ長方形状とし、一対の保持板１２はこの長方形状の容器３の長手方向において対向させて設けている。これにより、保持板１２に挟持された測定器２は、そのセンサ装着部１０が容器３の前側の側面（長辺）に対向する。
【００１７】
そして、容器３の前側の側面で、保持板１２に挟持された測定器２のセンサ装着部１０に対向する部分には、切欠部１５を設けている。このため、使用者は、切欠部１５を介して、センサ６をセンサ装着部１０に挿入することが出来るので、血糖値を測定することができる。
図４は、容器３を図３のＡ方向から見た断面図であり、図５は、測定器２が保持板１２に挟持された状態で、容器３を図３のＡ方向から見た断面図である。図６は、図４に示す保持板１２の拡大図である。
【００１８】
本実施形態においては、保持板１２に直線状の保持突起１３を設け、この保持突起１３は、図４、図６に示すように、水平方向に対して傾斜した細長形状としている。より具体的には、容器３を水平状態である基準面Ｂ上に置いた状態で、図６に示すように、保持突起１３を、その後端部Ｐ２から前端部Ｐ１にかけて、前端部Ｐ１が水平位置Ｈより下方になるように傾斜させている。
【００１９】
このため、測定器２を保持板１２に挟持させると、図５に示すように、測定器２は前方側が下がった傾斜状態となる。この傾斜状態で血糖値の測定を行うと、表示部１１が前方側（つまり使用者側）に傾いているので表示部１１の視認性が上がり、使い勝手の良いものとなる。
さらに、図３に示すように、容器３の底部で、一対の保持板１２の内方側には、測定器２の底部を支える複数個の支柱１６、１７を設けている。具体的には、一対の保持板１２の内方側で、保持板１２と容器３の後側面との間に２個の支柱１６を設けている。また、図４、図５に示すように、保持板１２と容器３の前側面との間に２個の支柱１７を設けている。この支柱１７の高さは、反対側の支柱１６の高さより低くしているので、傾けた測定器２の底部を安定的に支えることが出来る。
【００２０】
支柱１６、１７の上面部にはそれぞれ凹部（図示せず）を設け、この４個の凹部に測定器２の下面に設けた４個の凸部（図示せず）を嵌合させている。このため、測定器２は容器３の前後方向に動くことがない。
このように、測定器２は容器３の保持板１２に挟まれて安定的に保持される。
さてここで、本実施形態における特徴点は、上述のごとく、一対の保持板１２の対向面には、測定器２の側面を挟持させる保持突起１３を設け、この保持突起１３は、水平方向に対して傾斜した細長形状としたことである。これにより、測定器２を測定器収納ケース１から容易に取り出すことができる。
【００２１】
すなわち、上述したごとく、細長形状の保持突起１３は、測定器２の係合溝１４と係合し測定器２を線状で保持した状態となっているが、この保持突起１３は、水平方向に対して傾斜した細長形状としたものである。
したがって、図５の状態から測定器２の前方側を例えば指で摘んで垂直方向に持ち上げると、保持突起１３を水平方向に対して傾斜させているので、図６に示すように、垂直方向の持ち上げ力Ｆが線状の保持突起１３の下側（前方側）の先端部Ｐ１の端部に集中する。
【００２２】
この状態から、さらに測定器２を持ち上げると、線状の保持状態（保持突起１３と係合溝１４との係合）を、下側の先端部Ｐ１から上側の後端部Ｐ２に向けて順々に解除することができる。つまり、線状の保持状態を一度に解除するのではなく順々に解除できるので、小さな力で保持状態を解除することができる。
その結果として、測定器２を容器３から容易に取り出すことができる。
【００２３】
この時、保持板１２は外方に開き、保持突起１３と測定器２の係合が完全に解除されると、測定器２は保持突起１３上を滑り保持板１２から取り出される。
なおこの時、図５に示すように、保持板１２と容器３の後側面との間に２個の支柱１６を設けている。このため、測定器２の前方側が持ち上げられた時に、支柱１６が測定器２の後方下側を支えるので、保持突起１３では先端部Ｐ１から後端部Ｐ２に向けて順々に係合を解消させることができる。
【００２４】
また本実施形態においては、保持板１２に設けた保持突起１３の傾斜下端側と、その近傍の容器３の長辺側面との間には、この保持板１２で保持された測定器２を指先で取り出すための指先挿入空間を設けている。具体的には、保持板１２を、図３に示すように、容器３の前後方向のほぼ中央部に設け、保持突起１３の下側（前方側）の端部を容器３の前方側の側面から大きく離間させている。
【００２５】
このため、図１からも理解されるように、測定器２を保持板１２に挟持させた状態で、使用者は指を指先挿入空間から差し込んで、測定器２の前側の側面を摘むことができる。つまり、保持突起１３の先端部分Ｐ１の近傍を摘むことができるので、図６に示す持ち上げ力Ｆを先端部分Ｐ１に効果的に伝えることができ、測定器２が取り出し易いものとなる。
【００２６】
さらに本実施形態においては、図４に示すように、保持突起１３は、その下方側の端部を、この端部に対向する容器３の長辺（前側の側面部３ａ）の高さよりも低くしている。このため、図５に示すように、測定器２は側面部３ａよりも低い位置で保持されるので、使用者は、測定器２の前側の側面を指で摘み、自然な動作として垂直に持ち上げることとなる。したがって、図６に示すように、持ち上げ力Ｆを保持突起１３の最も下がった先端部Ｐ１に集中させることができ、測定器２が取り出し易いものとなる。
【００２７】
さらにまた、図５に示すように、測定器２を保持板１２に挟持させて血糖値の測定を行うと、測定器２が傾斜状態となるのでセンサ６は点着部６ａが下になるように傾く。このため、点着部６ａに点着した血液がセンサ装着部１０側に流れることが無く、血液が測定器２内に進入することを防止することができる。
その結果として、測定器２を測定器収納ケース１から容易に取り出すことができるとともに、使い勝手の良いものとなる。
【産業上の利用可能性】
【００２８】
以上のように本発明は、上面が開口した容器と、この容器の開口を覆うカバーと、前記容器とカバーで形成される収納空間に収納される生体情報測定器と、を備え、前記容器の底部に、前記生体情報測定器を保持する一対の保持板を立設し、この一対の保持板の対向面には、前記生体情報測定器の側面を挟持させる保持突起を設け、この保持突起は、水平方向に対して傾斜した細長形状としたものであるので、生体情報測定器を生体情報測定器収納ケースから容易に取り出すことができる。
【００２９】
すなわち、本発明においては、一対の保持板の対向面には、生体情報測定器の側面を挟持させる保持突起を設け、この保持突起は、水平方向に対して傾斜した細長形状としたものである。
このため、細長形状の保持突起は、生体情報測定器を線状で保持した状態となり、その結果、生体情報測定器は容器とカバーで形成される収納空間に安定した状態で保持される。
【００３０】
また、細長形状の保持突起は、生体情報測定器を線状で保持した状態となっているが、この保持突起は、水平方向に対して傾斜した細長形状としたものである。したがって、この状態から、生体情報測定器を持ち上げると、持ち上げ力が線状の保持状態の下側の端部に集中し、この状態から、さらに生体情報測定器を持ち上げると、線状の保持状態を、下側の端部から上側の端部に向けて順々に解除することができる。つまり、線状の保持状態を一度に解除するのではなく順々に解除できるので、小さな力で保持状態を解除することができる。
【００３１】
その結果として、上記安定保持された測定器を、測定器収納ケースから容易に取り出すことができる。
したがって、たとえば、血液中から血糖値などの生体情報を測定する生体情報測定器を収納する生体情報測定器収納ケースとして活用が期待されるものである。
【符号の説明】
【００３２】
１  測定器収納ケース
２  測定器
３  容器
４  カバー
５  接続部
６  センサ
６ａ  点着部
７  センサ収納容器
８  穿刺具
９  本体ケース
１０  センサ装着部
１１  表示部
１２  保持板
１３  保持突起
１４  係合溝
１５  切欠部
１６  支柱
１７  支柱
【図１】
2015114256.tif 000003
【図２】
2015114256.tif 000004
【図３】
2015114256.tif 000005
【図４】
2015114256.tif 000006
【図５】
2015114256.tif 000007
【図６】
2015114256.tif 000008